(57)【要約】【課題】複数の撮影操作手段の誤操作を防ぐこと。【解決手段】第１及び第２の撮影操作手段ＳＷ１、ＳＷ２の一方をカメラボディの背面に配置するとともに他方をカメラボディの前面に配置した。撮影者は容易に２つの撮影操作手段ＳＷ１、ＳＷ２を使い分けることができるので、誤操作が防止される。また、２つの撮影操作手段ＳＷ１及びＳＷ２は、それぞれ操作方向が撮影レンズ１２の光軸１０と平行になるように設けたので、操作力による手ぶれが抑えられる。また、第１の撮影操作手段ＳＷ１が操作された場合には被写体の画像データを第１の記録媒体２０ａに記録し、第２の撮影操作手段ＳＷ２が操作された場合には同一の被写体の画像データを第２の記録媒体２０ｂに記録するようにしたので、２つの撮影操作手段ＳＷ１、ＳＷ２を使い分けることでそれぞれに対応した記録媒体２０ａ、２０ｂに画像データが振り分けされる。【選択図】  図４
2004356982.tif 000002
【特許請求の範囲】
【請求項１】
被写体を撮影するための撮影レンズと、
互いに異なる撮影動作を指示する際に操作する第１の撮影操作手段及び第２の撮影操作手段とを備え、
前記第１の撮影操作手段をカメラボディの背面に配置するとともに前記第２の撮影操作手段をカメラボディの前面に配置し、これらの第１及び第２の撮影操作手段は、それぞれの操作方向が前記撮影レンズの光軸と平行になるように設けられたことを特徴とするカメラ。
【請求項２】
前記第１及び第２の撮影操作手段は、一方が動画の撮影の際に押す動画撮影ボタンであって他方が静止画の撮影の際に押す静止画撮影ボタンであり、それぞれのボタンの押す方向が前記撮影レンズの光軸と平行になるように設けられたことを特徴とする請求項１に記載のカメラ。
【請求項３】
前記動画撮影ボタン及び前記静止画撮影ボタンが共に操作されて同時にオン状態であるときには、被写体を撮影して得た動画像データを静止画像データより優先して所定の記録媒体に記録させるようにしたことを特徴とする請求項２に記載のカメラ。
【請求項４】
被写体を撮影するための撮影レンズと、
互いに異なる撮影動作を指示する際に操作する第１の撮影操作手段及び第２の撮影操作手段とを備え、
前記第１の撮影操作手段をカメラボディの背面に配置するとともに前記第２の撮影操作手段をカメラボディの前面に配置し、
前記第１の撮影操作手段が操作された場合には被写体を撮影して得られた画像データを所定の第１の記録媒体に記録し、前記第２の撮影操作手段が操作された場合には被写体を撮影して得られた画像データを前記第１の記録媒体とは異なる所定の第２の記録媒体に記録させる制御手段と、
を備えたことを特徴とするカメラ。
【請求項５】
前記第１及び第２の撮影操作手段が共に操作されて同時にオン状態であるときには、同一の被写体の画像データを前記第１及び第２の記録媒体に同時に記録させることを特徴とする請求項４に記載のカメラ。
【請求項６】
前記第１及び第２の撮影操作手段は、一方が動画の撮影の際に押す動画撮影ボタンであって他方が静止画の撮影の際に押す静止画撮影ボタンであり、
前記制御手段は、前記動画撮影ボタンの操作による動画像データの記録中に前記静止画撮影ボタンが操作されたとき、一方の記録媒体への被写体の動画像データの記録を継続しながら、同一の被写体の静止画像データを他方の記録媒体に記録させることを特徴とする請求項４又は５に記載のカメラ。
【発明の詳細な説明】
【０００１】
【発明の属する技術分野】
本発明はカメラに係り、特に互いに異なる撮影動作を指示する際に操作する複数の撮影操作手段を備えたカメラに関する。
【０００２】
【従来の技術】
従来、動画を撮影する際に押す動画撮影ボタンと静止画を撮影する際に押す静止画撮影ボタンとを備えたカメラでは、これらの複数の撮影ボタンは、一般に、撮影者がカメラを構えたときに撮影者側を向く背面に共に配置されるか、あるいは、撮影者がカメラを構えたときに撮影者が右手又は左手で側方から押すように側面に共に配置されていた。
【０００３】
また、カメラを縦向きに構えたときに押すべき縦位置撮影用の撮影ボタンと、カメラを横向きに構えたときに押すべき横位置撮影用の撮影ボタンとを備え、撮影者がカメラを縦向きに構えた状態では縦位置撮影用の撮影ボタンのみを作動可能とし、撮影者がカメラを横向きに構えた状態では横位置撮影用の撮影ボタンのみを作動可能としたものが提案されている（特許文献１を参照）。このような撮影ボタンは、一般に、撮影レンズの光軸に対してほぼ垂直な方向に操作力が加わるように配置されていた。
【０００４】
【特許文献１】
特開平５−３１３２４７号公報
【０００５】
【発明が解決しようとする課題】
撮影者は、一般に、撮影をする際にファインダで被写体への注視を続けることになる。また、動画撮影ボタンと静止画撮影ボタンを備えたカメラでは、撮影者は、動画撮影と静止画撮影とを自在に切り替えて意図通りに撮影したいという要求がある。しかしながら、２つの撮影ボタンが背面（又は側面）に共に配置された従来のカメラでは、撮影者は、ファインダで被写体に集中するあまり、誤って撮影意図とは異なる方の撮影ボタンを操作してしまい、このような誤操作により撮影者の撮影意図とは異なる撮影がされてしまうという問題があった。特に、小型化のために動画撮影ボタンと静止画撮影ボタンとが近傍に配置されたカメラでは、このような誤操作を招きやすい。
【０００６】
また、撮影者が撮影意図通りの撮影ボタンを押した場合であっても、例えば、撮影ボタンを操作するときの操作力によって、手ぶれが発生してしまい、撮影者の撮影意図通りの適正な撮影がされない場合もある。また、例えば、動画像よりも高解像度の静止画を何枚も撮影したために記録媒体が一杯になって予定した時間まで連続して動画を収録できなくなってしまい、撮影者の撮影意図通りの適正な撮影がされない場合もある。
【０００７】
本発明はこのような事情に鑑みてなされたもので、複数の撮影操作手段を備えたカメラにおいて、撮影操作手段の誤操作を防ぎ、撮影者の撮影意図通りの撮影をすることができるカメラを提供することを目的とする。
【０００８】
【課題を解決するための手段】
前記目的を達成するために、請求項１に記載の発明は、被写体を撮影するための撮影レンズと、互いに異なる撮影動作を指示する際に操作する第１の撮影操作手段及び第２の撮影操作手段とを備え、前記第１の撮影操作手段をカメラボディの背面に配置するとともに前記第２の撮影操作手段をカメラボディの前面に配置し、これらの第１及び第２の撮影操作手段は、それぞれの操作方向が前記撮影レンズの光軸と平行になるように設けられたことを特徴としている。
【０００９】
本発明によれば、第１の撮影操作手段と第２の撮影操作手段とがそれぞれカメラボディの前面と背面とに配置されているので、撮影者は容易に第１の撮影操作手段と第２の撮影操作手段とを使い分けできることになり、誤操作を防ぐことができるとともに、それぞれの操作方向が撮影レンズの光軸と平行になるように設けられているので、第１及び第２の撮影操作手段への操作力による手ぶれが最小限に抑えられることになり、撮影者の撮影意図通りに適正に撮影がされる。
【００１０】
前記第１及び第２の撮影操作手段は、請求項２に示されるように、例えば、一方が動画の撮影の際に押す動画撮影ボタンであって他方が静止画の撮影の際に押す静止画撮影ボタンであり、それぞれのボタンの押す方向が前記撮影レンズの光軸と平行になるように設けられる。
【００１１】
また、請求項３に記載の発明は、請求項２に記載の発明において、前記動画撮影ボタン及び前記静止画撮影ボタンが共に操作されて同時にオン状態であるときには、被写体を撮影して得た動画像データを静止画像データより優先して所定の記録媒体に記録させる構成になっている。
【００１２】
また、請求項４に記載の発明は、被写体を撮影するための撮影レンズと、互いに異なる撮影動作を指示する際に操作する第１の撮影操作手段及び第２の撮影操作手段とを備え、前記第１の撮影操作手段をカメラボディの背面に配置するとともに前記第２の撮影操作手段をカメラボディの前面に配置し、前記第１の撮影操作手段が操作された場合には被写体を撮影して得られた画像データを所定の第１の記録媒体に記録し、前記第２の撮影操作手段が操作された場合には被写体を撮影して得られた画像データを前記第１の記録媒体とは異なる所定の第２の記録媒体に記録させる制御手段とを備えたことを特徴としている。
【００１３】
本発明によれば、第１の撮影操作手段と第２の撮影操作手段とがそれぞれカメラボディの前面と背面とに配置されているので、撮影者は容易に第１の撮影操作手段と第２の撮影操作手段とを使い分けできることになり、誤操作を防ぐことができるとともに、撮影者の撮影意図にしたがってそれぞれの撮影操作手段に対応した記録媒体に画像データがそれぞれ振り分けられる。
【００１４】
また、請求項５に記載の発明は、請求項４に記載の発明において、前記第１及び第２の撮影操作手段が共に操作されて同時にオン状態であるときには、同一の被写体の画像データを前記第１及び第２の記録媒体に同時に記録させる構成になっている。
【００１５】
また、請求項６に記載の発明は、請求項４又は５に記載の発明において、前記第１及び第２の撮影操作手段は、一方が動画の撮影の際に押す動画撮影ボタンであって他方が静止画の撮影の際に押す静止画撮影ボタンであり、前記制御手段は、前記動画撮影ボタンの操作による動画像データの記録中に前記静止画撮影ボタンが操作されたとき、一方の記録媒体への被写体の動画像データの記録を継続しながら、同一の被写体の静止画像データを他方の記録媒体に記録させる構成になっている。
【００１６】
この構成によって、動画像データに切れ目を作ることなく、静止画像データを別の記録媒体に記録することができる。
【００１７】
【発明の実施の形態】
以下添付図面に従って本発明に係るカメラの好ましい実施の形態について詳説する。
［第１の実施の形態］
本発明に係る第１の実施の形態に係るカメラの斜め前からの斜視図を図１（ａ）に示し、そのカメラの斜め後ろからの斜視図を図１（ｂ）に示す。
【００１８】
動画撮影ボタンＳＷ１は、動画の撮影の際に押すボタンであり、操作方向（ここではボタンの押す方向）が撮影レンズ１２の光軸１０と平行になるように、カメラボディの背面に配置されている。撮影者が撮影レンズ１２を被写体に向けてカメラを構えたとき、動画撮影ボタンＳＷ１は、撮影者の方向（撮影方向と反対の方向）を向き、撮影者によって被写体の方向（撮影方向）に向けて押される。本実施の形態において、動画撮影ボタンＳＷ１は、一度押されるとオフ状態からオン状態になり、再度押されるとオン状態からオフ状態になる。
【００１９】
静止画撮影ボタンＳＷ２は、静止画の撮影の際に押すボタンであり、操作方向（ここではボタンの押す方向）が撮影レンズ１２の光軸１０と平行になるように、カメラボディの前面に配置されている。撮影者が撮影レンズ１２を被写体に向けてカメラを構えたとき、静止画撮影ボタンＳＷ２は、撮影方向（撮影者の方向と反対の方向）を向き、撮影者によって撮影者の方向（撮影方向と反対の方向）に向けて押される。尚、本実施の形態において、静止画撮影ボタンＳＷ２は、押されるとオン状態になり、開放されるとオフ状態になる。
【００２０】
ファインダ１３は、被写体のどこまでの範囲が写されるかを撮影者が知るためのものであり、カメラボディの背面に配置されている。撮影者が撮影レンズ１２を被写体に向けてカメラを構えたとき、ファインダ１３は、撮影者の方向（撮影方向と反対の方向）を向き、被写体を所定のウインドウ内に表示する。
【００２１】
図２は本発明に係るカメラの第１の実施の形態における内部構成の要部を示すブロック図である。
【００２２】
記録媒体２０は、画像及び音声が記録されるものである。本実施の形態では、カメラから取り外し可能なメモリカードを用いる。
【００２３】
中央処理装置（ＣＰＵ）３０は、動画撮影ボタンＳＷ１、静止画撮影ボタンＳＷ２、その他スイッチＳＷｎからの入力に基づいてカメラの各回路を統括制御する。
【００２４】
ＣＰＵ３０は、動画撮影ボタンＳＷ１が一度押されると、動画撮影処理を開始し、動画撮影ボタンＳＷ１が再度押されると、動画撮影処理を終了する。ここで、動画撮影処理では、露出制御を行い、撮影レンズ１２を介して被写体を固体撮像素子（ＣＣＤ）４４の受光面上に結像させ、動画撮影ボタンＳＷ１が一度押されてから再度押されるまでに得られた画像データを、動画像データとして記録媒体２０に連続的に記録させる。
【００２５】
また、ＣＰＵ３０は、静止画撮影ボタンＳＷ２が押されると、静止画撮影処理を行うようになっている。ここで、静止画撮影処理では、露出制御を行い、撮影レンズ１２を介して被写体を固体撮像素子（ＣＣＤ）４４の受光面上に結像させ、静止画撮影ボタンＳＷ２が押されたときに得られた画像データを静止画像データとして記録媒体２０に記録させる。
【００２６】
尚、動画撮影ボタンＳＷ１及び静止画撮影ボタンＳＷ２が共に操作されて同時にオン状態であるときには、ＣＰＵ３０は、被写体を撮影して得た動画像データを静止画像データより優先して記録媒体２０に記録させるようになっている。
【００２７】
本実施の形態におけるＣＰＵ３０の処理フローの概要を図３に示す。図３において、まず、動画撮影ボタンＳＷ１がオン状態であるか否かを判定する（Ｓ１２）。ここで、動画撮影ボタンＳＷ１がオン状態であるときには、静止画撮影ボタンＳＷ２の状態に関らず、被写体を撮影して得た動画像データを、静止画像データより優先し、メディアコントロール回路５４により記録媒体２０に記録させる（Ｓ１３）。すなわち、動画撮影ボタンＳＷ１のオン状態が継続していれば、静止画撮影ボタンＳＷ２が押されたときであっても、被写体を撮影して得た動画像データを記録媒体２０に連続的に記録させる。一方で、動画撮影ボタンＳＷ１がオフ状態であるときには、静止画撮影ボタンＳＷ２がオン状態であるか否かを判定し（Ｓ１４）、ここで静止画撮影ボタンＳＷ２がオン状態であるときには、被写体を撮影して得た静止画像データを、メディアコントロール回路５４により記録媒体２０に記録させる（Ｓ１５）。すなわち、動画撮影ボタンＳＷ１がオフ状態であって、かつ、静止画撮影ボタンＳＷ２がオン状態であるときのみ、静止画像データを記録媒体２０に記録させる。
【００２８】
以下、動画撮影及び静止画撮影で共通に行われる処理について図２を用いて詳細に説明する。
【００２９】
動画撮影及び静止画撮影において、ＣＣＤ４４は、受光面に結像された被写体光をその光量に応じた量の信号電荷に変換する。このようにして蓄積された信号電荷は、その信号電荷に応じた電圧信号として順次読み出される。ＣＣＤ４４から読み出された電圧信号は、相関二重サンプリング回路（ＣＤＳ及びＡＭＰ）４６に加えられ、ここで各画素ごとのＲ、Ｇ、Ｂ信号がサンプリングホールドされるとともに増幅され、Ａ／Ｄ変換器４８に加えられる。Ａ／Ｄ変換器４８は、相関二重サンプリング回路４６から順次加えられるＲ、Ｇ、Ｂ信号を、デジタルのＲ、Ｇ、Ｂ信号に変換して、画像信号処理回路５０に出力する。画像信号処理回路５０は、Ａ／Ｄ変換器４８から加えられる点順次のＲ、Ｇ、Ｂ信号を同時式に変換する同時化処理、ホワイトバランス調整、ガンマ補正、ＹＣ信号処理等の所定の画像処理を行う。この画像信号処理回路５０のＹＣ信号処理によって作成された輝度信号Ｙと色差信号Ｃｒ、Ｃｂ（ＹＣ信号）は、圧縮・伸長処理回路５２によって所定のフォーマットに圧縮されたのち、メディアコントロール回路５４を介して記録媒体２０に記録される。
【００３０】
尚、動画撮影時及び静止画に対する音声メモの記録時には、マイク６１から入力された音声信号は、音声処理回路６０によりＡ／Ｄ変換等の処理が行われ、デジタルに変換され、圧縮・伸長処理回路５２によって所定のフォーマットに圧縮された後、画像データと関連付けされて、メディアコントロール回路５４を介して記録媒体２０に記録される。
【００３１】
以上説明した第１の実施の形態に係るカメラによれば、動作撮影ボタンＳＷ１と静止画撮影ボタンＳＷ２とがそれぞれカメラボディの前面と背面とに配置されているので、撮影者は容易に動画撮影ボタンＳＷ１と静止画撮影ボタンＳＷ２とを使い分けできることになり、誤操作を防ぐことができるとともに、それぞれの操作方向が撮影レンズ１２の光軸と平行になるように設けられているので、動画撮影ボタンＳＷ１及び静止画撮影ボタンＳＷ２への操作力による手ぶれが最小限に抑えられて、ぶれのない撮影者の撮影意図通りの画像データが記録媒体２０に記録されることになる。
【００３２】
［第２の実施の形態］
本発明に係る第２の実施の形態に係るカメラの斜め前からの斜視面を図４（ａ）に示し、そのカメラの斜め後ろからの斜視面を図４（ｂ）に示す。また、図５はそのカメラの内部構成の要部を示すブロック図である。尚、図１及び図２に示した第１の実施の形態のカメラと同じ部分には同一の符号を付してある。
【００３３】
本実施の形態のカメラは、複数の記録媒体２０ａ、２０ｂが、互いに独立して、自在にカメラに着脱可能である。具体的には、図４（ｂ）に示すように、カバー１４を開けて記録媒体２０ａ、２０ｂをそれぞれカメラから取り出すことができる。
【００３４】
以下、第１の記録媒体２０ａと第２の記録媒体２０ｂは、どちらもメモリカードであって、動画像データが第１の記録媒体２０ａに記録され、静止画像データが第２の記録媒体２０ｂに記録されるものとして説明する。実際には、記録媒体２０ａ、２０ｂは、互いに異なる種類の媒体としてもよい。また、記録媒体２０ａ、２０ｂは、共に同じ種類の媒体であって、メモリ容量が異なる媒体としてもよい。また、記録媒体２０ａ、２０ｂの使い分けは実際には様々ある。撮影して得た画像データを第１の記録媒体２０ａに記録させ、マイク６１で集音して得た音声データを第２の記録媒体２０ｂに記録させるように、ＣＰＵ３０の制御で振り分けるようにしてもよい。このような記録媒体２０ａ、２０ｂの様々な使い分けは、その他スイッチＳＷｎの操作により設定可能とする。
【００３５】
また、本実施の形態において、ＣＰＵ３０は、動画撮影ボタンＳＷ１及び静止画撮影ボタンＳＷ２が共に操作されて同時にオン状態であるときには、同一の被写体の画像を第１の記録媒体２０ａ及び第２の記録媒体２０ｂに同時に記録する。具体的には、被写体を撮影して得た動画像データを第１の記録媒体２０ａに記録させ、動画像データと同一の被写体の静止画像データを第２の記録媒体２０ｂに記録させる。尚、動画撮影ボタンＳＷ１の操作による動画像データの記録中に静止画撮影ボタンＳＷ２が操作されたときには、第１の記録媒体２０ａへの動画像データの記録を継続しながら、同一の被写体の静止画データを第２の記録媒体２０ｂに記録させる。記録媒体２０ａ、２０ｂにそれぞれ記録する動画像データ及び静止画像データの解像度は互いに異なっていてもよく、例えば静止画像データを動画像データより高解像度で記録することができる。
【００３６】
本実施の形態におけるＣＰＵ３０の処理フローの概要を図６に示す。
【００３７】
図６において、まず、動画撮影ボタンＳＷ１及び静止画撮影ボタンＳＷ２が共にオン状態であるか否かを判定する（Ｓ２０）。ここで、動画撮影ボタンＳＷ１及び静止画撮影ボタンＳＷ２が共にオン状態であるときには、被写体を撮影して得た動画像データを第１の記録媒体２０ａに記録するとともに、同一の被写体の静止画像データを第２の記録媒体２０ｂに記録させるように、メディアコントロール回路５４を制御する（Ｓ２１）。また、動画撮影ボタンＳＷ１のみがオン状態であるか否かを判定し（Ｓ２２）、動画撮影ボタンＳＷ１のみがオン状態であるときには、第１の記録媒体２０ａへの動画像データの記録のみを行うようにメディアコントロール回路５４を制御する（Ｓ２３）。また、静止画撮影ボタンＳＷ２のみがオン状態であるか否かを判定し（Ｓ２４）、静止画撮影ボタンＳＷ２のみがオン状態であるときには、第２の記録媒体２０ｂへの静止画像データの記録のみを行うようにメディアコントロール回路５４を制御する（Ｓ２５）。
【００３８】
以上説明した第２の実施の形態に係るカメラによれば、第１の実施の形態と同様に、動作撮影ボタンＳＷ１と静止画撮影ボタンＳＷ２とがそれぞれカメラボディの前面と背面とに配置されているので、撮影者は容易に動画撮影ボタンＳＷ１と静止画撮影ボタンＳＷ２とを使い分けできることになり、誤操作を防ぐことができる。また、動画撮影ボタンＳＷ１に対応した動画像データが第１の記録媒体２０ａに記録されるとともに、静止画撮影ボタンＳＷ２に対応した静止画像データが第２の記録媒体２０ｂに記録されるので、撮影者の撮影意図にしたがってそれぞれの撮影操作手段に対応した記録媒体に画像データがそれぞれ振り分けられる。また、動画撮影をしながら静止画撮影をした場合であっても、静止画像データのみが記録された第２の記録媒体２０ｂを写真の印刷業者に渡すことができる。また、第１の実施の形態と同様に、動作撮影ボタンＳＷ１及び静止画撮影ボタンＳＷ２のそれぞれの操作方向が撮影レンズ１２の光軸と平行になるように設けられているので、動画撮影ボタンＳＷ１及び静止画撮影ボタンＳＷ２への操作力による手ぶれが最小限に抑えられて、ぶれのない撮影者の撮影意図通りの画像データが記録媒体２０ａ、２０ｂに記録されることになる。
【００３９】
尚、前述の第１及び第２の実施の形態において、撮影する際に操作する撮影操作手段が、動画撮影ボタン及び静止画撮影ボタンである場合を例に説明したが、本発明はこれに限るものではなく、互いに異なる撮影動作を指示するその他撮影操作手段に適用してもよい。例えば、静止画を１枚毎に撮影する際に操作する第１の撮影ボタンと、静止画を連続して複数枚撮影する際に操作する第２の撮影ボタン（一般に「連写ボタン」という）とをカメラボディの前面と背面とに配置してもよい。
【００４０】
また、撮影操作手段が押しボタンである場合を例に説明したが、レバー等のその他の撮影操作手段であってもよい。
【００４１】
また、第２の実施の形態において、２つの記録媒体２０ａ、２０ｂがメモリカードである場合を例に説明したが、２つの記録媒体２０ａ、２０ｂの一方が磁気テープであってもよい。
【００４２】
また、デジタルカメラを例に説明したが、本発明は銀塩カメラに適用してもよい。
【００４３】
【発明の効果】
以上説明したように本発明によれば、複数の撮影操作手段を備えたカメラにおいて、撮影操作手段の誤操作を防ぐことができ、撮影者の撮影意図通りに適正に撮影がされる。
【図面の簡単な説明】
【図１】本発明に係る第１の実施の形態のカメラを示す斜視図であり、（ａ）は斜め前からの斜視図、（ｂ）は斜め後ろからの斜視図
【図２】本発明に係る第１の実施の形態のカメラにおける内部構成の要部を示すブロック図
【図３】本発明に係る第１の実施の形態のカメラにおける処理の例を示すフローチャート
【図４】本発明に係る第２の実施の形態のカメラを示す斜視図であり、（ａ）は斜め前からの斜視図、（ｂ）は斜め後ろからの斜視図
【図５】本発明に係る第２の実施の形態のカメラにおける内部構成の要部を示すブロック図
【図６】本発明に係る第２の実施の形態のカメラにおける処理の例を示すフローチャート
【符号の説明】
１２…撮影レンズ、２０、２０ａ、２０ｂ・・・記録媒体、５４・・・メディアコントロール回路、３０・・・ＣＰＵ、ＳＷ１…動画撮影ボタン、ＳＷ２…静止画撮影ボタン
【図１】
2004356982.tif 000003
【図２】
2004356982.tif 000004
【図３】
2004356982.tif 000005
【図４】
2004356982.tif 000006
【図５】
2004356982.tif 000007
【図６】
2004356982.tif 000008